(57)【要約】【課題】  印字可能に製造されたディスクの印字面の内径、外径を検出して、印字がディスクの印字面からはみ出さないように、ディスクの印字面に印字を行うことができるようにする。【解決手段】  搬送されるディスクにレーザ光を照射し、該レーザ光の透過光の無、または、該レーザ光の反射光の有を検出して、ディスクの印字面を検出し、検出結果に基づいてディスクの印字面に印字を行うようにする。【選択図】        図１
2006130746.tif 000002
【特許請求の範囲】
【請求項１】
印字可能に製造されたディスクの印字面に印字を行う印字装置であって、
ディスクを搬送する搬送手段と、前記搬送手段により搬送されるディスクにレーザ光を照射し、該レーザ光の透過光の無、または、該レーザ光の反射光の有を検出して、ディスクの印字面を検出する検出手段と、ディスクの印字面に印字を行う印字手段と、前記検出手段の検出結果に基づいて前記印字手段による印字を制御する制御手段とを備えたことを特徴とする印字装置。
【請求項２】
印字可能に製造されたディスクの印字面に印字を行う印字装置であって、
ディスクを搬送する搬送手段と、前記搬送手段により搬送されるディスクの印字面を検出する検出手段と、ディスクの印字面に印字を行う印字手段と、前記検出手段の検出結果に基づいて前記印字手段による印字を制御する制御手段とを備えたことを特徴とする印字装置。
【請求項３】
前記検出手段は、前記搬送手段により搬送されるディスクにレーザ光を照射し、該レーザ光の透過光の無を検出して、ディスクの印字面を検出する検出手段であることを特徴とする請求項２記載の印字装置。
【請求項４】
前記検出手段は、前記搬送手段により搬送されるディスクにレーザ光を照射し、該レーザ光の反射光の有を検出して、ディスクの印字面を検出する検出手段であることを特徴とする請求項２記載の印字装置。
【請求項５】
前記検出手段は、前記印字手段と一体に前記印字手段の移動方向に往復移動する検出手段であることを特徴とする請求項４記載の印字装置。
【発明の詳細な説明】
【技術分野】
【０００１】
本発明は、印字可能に製造されたディスクの印字面に印字を行う印字装置に係り、特に印字可能に製造されたディスクの印字面の内径、外径を検出して、ディスクの印字面に印字を行う印字装置に関する。
【背景技術】
【０００２】
従来、印字可能に製造されたディスクの印字面に印字を行う際、ディスクの印字面から印字がはみ出さないように、ユーザが印字を行うディスクの印字面の内径、外径をインクジェットプリンタ等の印字装置の印字領域として設定して、ディスクの印字面への印字を行っていた。しかし、印字可能に製造されたディスクの印字面は、ディスクの種類、サイズによって印字面の内径、外径寸法が同一ではないため、印字可能に製造されたディスクに印字面に印字を行う際に、印字するディスク毎に印字面の内径、外径をインクジェットプリンタ等の印字装置の印字領域として設定しなければならないという問題点があった。
背景技術としては、ディスクに設けられたマークを検知して、ディスクの回転角を保持し、ディスクを搬送してディスクの印字面に印字を行うようにしたものがあった（例えば、特許文献１参照）。
また、ディスクの内周、外周に設けられた光反射部、光無反射部、光透過部の有無を検出して、ディスクの種別を識別するようにしたものがあった（例えば、特許文献２参照）。
また、ディスクの媒体判別領域に形成されたディスクを識別するための識別パターンを読み取ってディスクの種別を判別するようにしたものがあった（例えば、特許文献３参照）。
【特許文献１】特開２０００−４０２６４号公報
【特許文献２】実開平７−２６９６１号公報
【特許文献３】特開平１１−７７０９号公報
【発明の開示】
【発明が解決しようとする課題】
【０００３】
しかしながら、背景技術で述べたもののうち最初のものにおいては、ディスクに設けられたマークを検知して、ディスクの回転角を保持し、ディスクを搬送してディスクの印字面に印字を行うことができたが、ディスクに設けられたマークを検知して、ディスクの印字面に印字されたデザインの方向に対して特定の位置に印字を行うようにしたものであって、印字可能に製造されたディスクの印字面の内径、外径を検出して、ディスクの印字面から印字がはみ出さないようにして、ディスクの印字面に印字を行うことができるようにしたものではなかった。
また、次のものにおいては、ディスクの内周、外周に設けられた光反射部、光無反射部、光透過部の有無を検出して、ディスクの種別を識別することができたが、ディスクに設けられた光反射部、光無反射部、光透過部を検出して、ディスクの種別を識別するようにしたものであって、印字可能に製造されたディスクの印字面内に印字を行うようにしたものではなかった。
また、更にその次のものにおいては、ディスクの媒体判別領域に形成されたディスクを識別するための識別パターンを読み取ってディスクの種別を判別することができたが、ディスクの媒体判別領域に形成された識別パターンによりディスクの種別を判別するようにしたものであって、上記同様、印字可能に製造されたディスクの印字面内に印字を行うようにしたものではなかった。
本発明は、背景技術の有するこのような問題点に鑑みてなされたものであり、その目的とするところは、印字可能に製造されたディスクの印字面の内径、外径を検出して、ディスクの印字面から印字がはみ出さないようにして、ディスクの印字面に印字を行うことができる印字装置を提供しようとするものである。
【課題を解決するための手段】
【０００４】
上記目的を達成するため本発明においては、印字可能に製造されたディスクの印字面に印字を行う印字装置であって、ディスクを搬送する搬送手段と、前記搬送手段により搬送されるディスクの印字面を検出する検出手段と、ディスクの印字面に印字を行う印字手段と、前記検出手段の検出結果に基づいて前記印字手段による印字を制御する制御手段とを備える。
前記検出手段は、前記搬送手段により搬送されるディスクにレーザ光を照射し、該レーザ光の透過光の無を検出して、ディスクの印字面を検出するようにするとよい。
また、前記検出手段は、前記搬送手段により搬送されるディスクにレーザ光を照射し、該レーザ光の反射光の有を検出して、ディスクの印字面を検出するようにするとよい。
また、ディスクにレーザ光を照射し、レーザ光の反射光の有を検出する前記検出手段は、前記印字手段と一体に前記印字手段の移動方向に往復移動するようにするとよい。
これらの手段により、印字可能に製造されたディスクの印字面の内径、外径を検出して、ディスクの印字面から印字がはみ出さないようにして、ディスクの印字面に印字を行うことができる。
【発明の効果】
【０００５】
請求項１記載の発明に係る印字装置によれば、ディスクにレーザ光を照射し、該レーザ光の透過光の無、または、該レーザ光の反射光の有を検出して、ディスクの印字面を検出し、検出結果に基づいてディスクの印字面に印字を行うようにしているので、印字可能に製造されたディスクの印字面から印字がはみ出すことなく、ディスクの印字面に印字を行うことができる。
請求項２記載の発明に係る印字装置によれば、ディスクの印字面を検出し、検出結果に基づいてディスクの印字面に印字を行うようにしているので、印字可能に製造されたディスクの印字面から印字がはみ出すことなく、ディスクの印字面に印字を行うことができる。
請求項３記載の発明に係る印字装置によれば、ディスクにレーザ光を照射し、該レーザ光の透過光の無を検出して、ディスクの印字面を検出するようにしているので、印字可能に製造されたディスクの印字面から印字がはみ出すことなく、ディスクの印字面に印字を行うことができる。
請求項４記載の発明に係る印字装置によれば、ディスクにレーザ光を照射し、該レーザ光の反射光の有を検出して、ディスクの印字面を検出するようにしているので、印字可能に製造されたディスクの印字面から印字がはみ出すことなく、ディスクの印字面に印字を行うことができる。
請求項５記載の発明に係る印字装置によれば、印字手段と一体に印字手段の移動方向に往復移動して、ディスクにレーザ光を照射し、該レーザ光の反射光の有を検出して、ディスクの印字面を検出するようにしているので、印字可能に製造されたディスクの印字面から印字がはみ出すことなく、ディスクの印字面の全面の所望の位置に印字を行うことができる。
【発明を実施するための最良の形態】
【０００６】
以下、適宜図面を参照しながら本発明を実施するための最良の形態を詳述する。図１は本発明の一実施例の印字装置の構成を示すブロック図であり、図２は本発明の一実施例の印字装置の動作を示す説明図であり、図３は本発明の一実施例の印字装置の動作を示すフローチャートであり、図４は本発明の一実施例の他の印字装置の構成を示すブロック図であり、図５は本発明の一実施例の他の印字装置の動作を示す説明図であり、図６は本発明の一実施例の他の印字装置の動作を示すフローチャートである。
まず、図１の本発明の一実施例の印字装置の構成を示すブロック図を基に説明する。
印字装置１は、ディスク２を搬送する搬送モータ３と、搬送モータ３の回転を制御する搬送部４と、ディスク２の記録面側の対向した位置に配設された発光部５（図２（ａ）、（ｂ）参照）と、発光部５の半導体レーザ（図示せず）を駆動する駆動回路６と、ディスク２の印字面側に対向した位置に配設され、ディスク２を透過したレーザ光を受光する受光部７（図２（ａ）、（ｂ）参照）と、受光部７により受光されたレーザ光を検出する検出回路８と、ディスク２の印字面側に対向して往復移動して、ディスク２の印字面に印字する印字ヘッド９（図２（ａ）、（ｂ）参照）と、印字ヘッド９による印字を制御する制御回路１０と、印字装置１のシステム全体を制御するマイコン１１とで構成されている。
以上のように構成された印字装置について、以下その動作について説明する。
印字装置１にディスク２が挿入されると、マイコン１１は、駆動回路５に制御信号を送出して、発光部５の半導体レーザ（図示せず）からレーザ光を出射してディスク２に照射し、搬送部４に制御信号を送出して、搬送モータ３を回転させてディスク２を搬送方向に搬送する（図２（ａ）参照）。
搬送方向に搬送されるディスク２の搬送方向の先端部の透過部２ａが印字ヘッド９の下を通過して、ディスク２の印字面２ｂによりレーザ光の透過が阻止され、レーザ光の透過光が受光部７により検出されなくなると（図２（ａ）参照）、マイコン１１は、制御回路１０に制御信号を送出して、印字ヘッド９を印字ヘッドの移動方向に往復移動させ、印字ヘッド９によりディスク２の搬送方向の先端側の印字面２ｂに印字する（図２（ｂ）参照）。
そして、ディスク２が搬送方向に更に搬送され、ディスク２の中心部の透過部２ｃが印字ヘッド９の下を通過して、ディスク２の透過部２ｃを透過したレーザ光が受光部７により受光されると、マイコン１１は、制御回路１０に制御信号を送出して、印字ヘッド９による印字を中断し、搬送モータ３を続けて回転させてディスク２を搬送方向に更に搬送する。
ディスク２が搬送方向に更に搬送されて、ディスク２の中心部の透過部２ｃが印字ヘッドの下を通過し、ディスク２の印字面２ｂによりレーザ光の透過が阻止されて、ディスク２を透過したレーザ光が受光部７により受光されなくなると、マイコン１１は、制御回路１０に制御信号を再び送出して、印字ヘッド９を移動方向に往復移動させ、印字ヘッド９によりディスク２の搬送方向の後端側の印字面２ｂに印字する（図２（ｂ）参照）。
そして、ディスク２が搬送方向に搬送されて、ディスク２の搬送方向の後端部の透過部２ｃを透過したレーザ光が受光部７により受光されると（図２（ｂ）参照）、マイコン１１は、制御回路１０に制御信号を送出して、印字ヘッド９によるディスク２の印字面への印字を終了し、搬送モータ３を続けて回転させてディスク２を搬送方向に更に搬送して、ディスク２を印字装置１から排出して搬送モータ３の回転を停止する。
また、図３の本発明の一実施例の印字装置の動作を示すフローチャートを基に説明する。
印字装置にディスクが挿入されると、ステップＳ１からステップＳ２に進み、ステップＳ２で、発光部の半導体レーザからレーザ光が出射されてディスクに照射され、ディスクが搬送方向に搬送されて、ステップＳ３に進む。
ステップＳ３で、ディスクを透過したレーザ光が受光部により受光されたか否かが判断され、ディスクを透過したレーザ光が受光部により受光された場合、ステップＳ５に進み、ディスクの印字面によりレーザ光の透過が阻止されて、ディスクを透過したレーザ光が受光部により受光されない場合、ステップＳ４に進む。
ステップＳ４で、印字ヘッドが移動方向に往復移動されて、印字ヘッドによりディスクの印字面に印字され、ステップＳ５に進む。
ステップＳ５で、ディスクの印字面への印字が終了したか否かが判断され、ディスクの印字面への印字が終了した場合、ステップＳ６に進んで処理を終了し、ディスクの印字面への印字が終了していない場合、ステップＳ２に戻って、ステップＳ２からのステップを繰り返す。
また、図４の本発明の一実施例の他の印字装置の構成を示すブロック図を基に説明する。
この印字装置１は、ディスク２の印字面側に対向して往復移動する印字ヘッド９の印字面に発光部５と受光部７とをそれぞれ配設したもので（図５（ａ）、（ｂ）参照）、図１と同一構成要素には同一の符号を付してその説明を省略する。
以上のように構成された印字装置について、以下その動作について説明する。
印字装置１にディスク２が挿入されると、マイコン１１は、駆動回路５に制御信号を送出して、発光部５の半導体レーザ（図示せず）からレーザ光を出射してディスク２に照射し、搬送部４に制御信号を送出して、搬送モータ３を回転させてディスク２を搬送方向に搬送し（図５（ａ）参照）、制御回路１０に制御信号を送出して、印字ヘッド９を印字ヘッドの移動方向に往復移動させる（図５（ｂ）参照）。
ディスク２が搬送方向に搬送され、印字ヘッド９の移動範囲内でディスク２の印字面２ｂにより反射されたレーザ光が受光部７により受光されると（図５（ａ）参照）、マイコン１１は、制御回路１０に制御信号を送出して、ディスク２の周辺部の透過部２ａを除き、ディスク２の印字面２ｂにより反射されたレーザ光が受光部７により受光されるディスク２の印字面２ｂに印字する（図５（ｂ）参照）。
そして、ディスク２が搬送方向に更に搬送され、ディスク２の中心部の透過部２ｃが印字ヘッド９の下を通過するようになると、マイコン１１は、制御回路１０に制御信号を送出して、印字ヘッド９による印字と印字の中断とを繰り返し、ディスク２の周辺部の透過部２ａとディスク２の中心部の透過部２ｃとを除いて、ディスク２の印字面２ｂにより反射されたレーザ光が受光部７により受光されるディスク２の印字面への印字を続行し、搬送モータ３を回転させてディスク２を搬送方向に更に搬送する。
ディスク２が搬送方向に更に搬送されて、ディスク２の透過部２ｃが印字ヘッド９の下を通過し、ディスク２の印字面２ｂにより反射されたレーザ光が受光部７により受光されると（図５（ａ）参照）、マイコン１１は、制御回路１０に制御信号を再び送出して、ディスク２の周辺部の透過部２ａを除き、印字ヘッド９によりディスク２の印字面２ｂに印字する（図５（ａ）参照）。
そして、ディスク２が搬送方向に搬送されて、印字ヘッド９の移動方向内の全域でディスク２の印字面２ｂからの反射光されたレーザ光が受光部７により受光されるなくなると（図５（ｂ）参照）、マイコン１１は、制御回路１０に制御信号を送出して、印字ヘッド９による印字を終了し、搬送モータ３を続けて回転させてディスク２を搬送方向に更に搬送して、ディスク２を印字装置１から排出して搬送モータ３の回転を停止する。
また、図６の本発明の一実施例の他の印字装置の動作を示すフローチャート図５の本発明の一実施例の印字装置の動作を示すフローチャートを基に説明する。
印字装置にディスクが挿入されると、ステップＳ１１からステップＳ１２に進み、ステップＳ１２で、発光部の半導体レーザからレーザ光が出射されてディスクに照射され、ディスクが搬送方向に搬送されて、ステップＳ１３に進む。
ステップＳ１３で、ディスクの印字面により反射されたレーザ光が受光部により受光されたか否かが判断され、ディスクの印字面により反射されたレーザ光が受光部により受光された場合、ステップＳ１５に進み、ディスクの印字面により反射されたレーザ光が受光部により受光されない場合、ステップＳ１４に進む。
ステップＳ１４で、印字ヘッドが移動方向に往復移動されて、印字ヘッドによりディスクの印字面に印字が行われ、ステップＳ１５に進む。
ステップＳ１５で、ディスクの印字面への印字が終了したか否かが判断され、ディスクの印字面への印字が終了した場合、ステップＳ１６に進んで処理を終了し、ディスクの印字面への印字が終了していない場合、ステップＳ１２に戻って、ステップＳ１２からのステップを繰り返す。
以上、本発明を実施するための最良の形態について詳述したが、本発明はこれに限らず、当業者の通常の知識の範囲内でその変形や改良が可能である。例えば、発光部をディスクの記録面側に対向した位置に配設し、受光部をディスクの印字面側に対向した位置に配設して、ディスクの印字面を検出することを説明したが、発光部をディスクの印字面側に対向した位置に配設し、受光部をディスクの記録面側に対向した位置に配設して、ディスクの印字面を検出するようにしてもよい。
また、半導体レーザから出射されたレーザ光の透過光、反射光の有無を検出して、ディスクの印字面に印字することを説明したが、ＬＥＤ（Ｌｉｇｈｔ−Ｅｍｉｔｔｉｎｇ  Ｄｉｏｄｅ）から出射された可視光、赤外光等の透過光、反射光の有無を検出して、ディスクの印字面に印字するようにしてもよい。この場合、ＬＥＤから出射された可視光、赤外光をレンズで集光するか、または、スリットを通して狭くして、ディスクの印字面に照射するようにするとよい。
【図面の簡単な説明】
【０００７】
【図１】本発明の一実施例の印字装置の構成を示すブロック図である。
【図２】本発明の一実施例の印字装置の動作を示す説明図である。
【図３】本発明の一実施例の印字装置の動作を示すフローチャートである。
【図４】本発明の一実施例の他の印字装置の構成を示すブロック図である。
【図５】本発明の一実施例の他の印字装置の動作を示す説明図である。
【図６】本発明の一実施例の他の印字装置の動作を示すフローチャートである。
【符号の説明】
【０００８】
１  印字装置
２  ディスク
２ａ、２ｃ  透明部
２ｂ  印字面
３  搬送モータ
４  搬送部
５  発光部
６  駆動回路
７  受光部
８  検出回路
９  印字ヘッド
１０  制御回路
１１  マイコン
【図１】
2006130746.tif 000003
【図２】
2006130746.tif 000004
【図３】
2006130746.tif 000005
【図４】
2006130746.tif 000006
【図５】
2006130746.tif 000007
【図６】
2006130746.tif 000008